(57)【特許請求の範囲】
【請求項１】
読取対象を読み取る読取部と、
情報を報知するための報知部と、
前記読取部及び前記報知部を保持するケースと、
前記読取部及び前記報知部が前記ケースに組み付けられてなる装置本体の姿勢又は位置の少なくともいずれかを検出する装置状態検出部と、
前記装置状態検出部によって検出される前記装置本体の姿勢又は位置の少なくともいずれかが、予め定められた複数の装置状態のいずれに該当するかを判定する装置状態判定部と、
前記複数の装置状態のそれぞれに対応する前記報知部の動作状態が予め定められ、前記読取部による前記読取対象の読み取りが終了する前又は終了した後の少なくともいずれかの時期において前記装置状態判定部にて判定された装置状態に対応する動作状態となるように、少なくとも前記読取部による前記読取対象の読み取りの際又は読み取り後における前記報知部の動作を制御する制御部と、
を有し、
前記読取部による前記読取対象の読取結果が所定の読取成功状態であるかを判定可能な読取結果判定部を備え、
前記報知部は、音を発生させる発音部及び振動を発生させる振動部の少なくともいずれかを備えた補助報知部を含み、
前記装置状態判定部は、前記装置状態検出部で検出される前記装置本体の姿勢が、所定の下向き状態ではない第一姿勢、又は前記下向き状態である第二姿勢のいずれに該当するかを判定可能であり、
前記制御部は、
前記読取部による前記読取対象の読み取りが終了する前又は終了した後の少なくともいずれかの時期に前記装置状態判定部によって前記装置本体の姿勢が前記第一姿勢であると判定された場合には、前記読取結果判定部によって前記読取成功状態と判定された場合に前記補助報知部とは異なる主報知部として画像を表示可能な表示装置を動作させる第１状態とし、
前記読取部による前記読取対象の読み取りが終了する前又は終了した後の少なくともいずれかの時期に前記装置状態判定部によって前記装置本体の姿勢が前記第二姿勢であると判定された場合には、前記読取結果判定部によって前記読取成功状態と判定された場合に、前記主報知部の動作を前記第１状態よりも抑えた第２状態とし、前記補助報知部を所定の報知状態に変化させることを特徴とする携帯型読取装置。
【請求項２】
前記報知部は、画像を表示可能な表示装置を含み、
前記制御部は、
前記表示装置の動作状態として、所定の通常動作状態と、前記通常動作状態のときよりも電力消費を抑える省電力動作状態と、が定められ、
前記読取部による前記読取対象の読み取りが終了する前の所定時期に前記装置状態判定部によって前記装置本体の姿勢又は位置の少なくともいずれかが所定の第一装置状態であると判定された場合には、少なくとも前記読取部によって前記読取対象を読み取る際の前記表示装置の動作状態を前記通常動作状態とし、
前記読取部による前記読取対象の読み取りが終了する前の所定時期に前記装置状態判定部によって前記装置本体の姿勢又は位置の少なくともいずれかが所定の第二装置状態であると判定された場合には、少なくとも前記読取部によって前記読取対象を読み取る際の前記表示装置の動作状態を前記省電力動作状態とすることを特徴とする請求項１に記載の携帯型読取装置。
【請求項３】
前記報知部は、前記表示装置としてバックライトを備えた液晶表示器を含み、
前記装置状態検出部は、前記装置本体の姿勢を検出可能とされ、
前記装置状態判定部は、前記装置状態検出部で検出される前記装置本体の姿勢が、所定の下向き状態ではない第一姿勢、又は前記下向き状態である第二姿勢のいずれに該当するかを判定可能であり、
前記制御部は、
前記液晶表示器の前記通常動作状態として前記バックライトを点灯させつつ表示画面に画像を表示する第一動作状態が定められ、前記液晶表示器の前記省電力動作状態として少なくとも前記バックライトを消灯させる第二動作状態が定められ、
前記読取部による前記読取対象の読み取りが終了する前の前記所定時期に前記装置状態判定部によって前記装置本体の姿勢が前記第一姿勢であると判定された場合には、少なくとも前記読取部によって前記読取対象を読み取る際の前記液晶表示器の動作状態を前記第一動作状態とし、
前記読取部による前記読取対象の読み取りが終了する前の前記所定時期に前記装置状態判定部によって前記装置本体の姿勢が前記第二姿勢であると判定された場合には、少なくとも前記読取部によって前記読取対象を読み取る際の前記液晶表示器の動作状態を前記第二動作状態とすることを特徴とする請求項２に記載の携帯型読取装置。
【請求項４】
前記読取部による前記読取対象の読取結果が所定の読取成功状態であるかを判定可能な読取結果判定部を備え、
前記報知部は、点灯状態と非点灯状態とに変化可能に構成された点灯部を含み、
前記装置状態判定部は、前記装置状態検出部で検出される前記装置本体の姿勢が、所定の下向き状態ではない第一姿勢、又は前記下向き状態である第二姿勢のいずれに該当するかを判定可能であり、
前記制御部は、
前記読取部による前記読取対象の読み取りが終了する前又は終了した後の少なくともいずれかの時期において前記装置状態判定部によって前記装置本体の姿勢が前記第一姿勢であると判定された場合、前記読取結果判定部によって前記読取成功状態と判定されることに応じて前記点灯部を所定の点灯状態とし、
前記読取部による前記読取対象の読み取りが終了する前又は終了した後の少なくともいずれかの時期において前記装置状態判定部によって前記装置本体の姿勢が前記第二姿勢であると判定された場合、前記読取結果判定部によって前記読取成功状態と判定された場合に前記点灯部を前記所定の点灯状態のときよりも電力消費を抑える所定の点灯抑制状態とすることを特徴とする請求項１から請求項３のいずれか一項に記載の携帯型読取装置。
【請求項５】
前記制御部は、
前記読取部による前記読取対象の読み取りが終了する前又は終了した後の少なくともいずれかの時期において前記装置状態判定部によって前記装置本体の姿勢が前記第一姿勢であると判定された場合には、前記読取結果判定部によって前記読取成功状態と判定された場合に前記補助報知部を前記所定の報知状態のときよりも電力消費を抑えた補助報知抑制状態とし、
前記読取部による前記読取対象の読み取りが終了する前又は終了した後の少なくともいずれかの時期において前記装置状態判定部によって前記装置本体の姿勢が前記第二姿勢であると判定された場合には、前記読取結果判定部によって前記読取成功状態と判定された場合に前記補助報知部を前記補助報知抑制状態のときよりも電力消費が大きくなる前記所定の報知状態とすることを特徴とする請求項１から請求項４のいずれか一項に記載の携帯型読取装置。
【請求項６】
外部からの操作が可能な操作部と、
前記操作部による所定操作に応じて当該携帯型読取装置の状態を前記読取部での読み取りが可能な読取モードとし、所定の解除条件の成立時に当該携帯型読取装置の状態を前記読取部での読み取りが行われない非読取モードとするモード切替部と、
を備え、
前記モード切替部は、
当該携帯型読取装置が前記読取モードであるときに前記装置状態検出部で検出される前記装置本体の姿勢が所定の低変化状態となった場合、当該携帯型読取装置を、前記読取モードから当該読取モードのときよりも電力消費を抑える待機モードに切り替え、
当該携帯型読取装置が前記待機モードであるときに前記装置状態検出部で検出される前記装置本体の姿勢が所定の変化状態となった場合、当該携帯型読取装置を、前記待機モードから前記読取モードに切り替えることを特徴とする請求項１から請求項５のいずれか一項に記載の携帯型読取装置。
【請求項７】
前記装置状態検出部は、前記装置本体において定められた複数の方向の加速度を検出する加速度検出部を備え、
前記装置状態判定部は、前記読取部による前記読取対象の読み取りが終了する前又は終了した後の少なくともいずれかの時期に前記加速度検出部で検出された検出結果に基づいて前記装置本体の姿勢又は位置の少なくともいずれかが前記複数の装置状態のいずれに該当するかを判定することを特徴とする請求項１から請求項６のいずれか一項に記載の携帯型読取装置。
【発明の詳細な説明】
【技術分野】
【０００１】
本発明は、携帯型読取装置に関するものである。
【背景技術】
【０００２】
携帯型コードリーダや携帯型ＲＦＩＤリーダなどの携帯型読取装置は、様々な場所に携帯して使用することが求められ、このため、装置内に電池を内蔵した構成が一般的となっている。このような構成のものでは、電池の消耗を抑え、動作時間を長く確保するために、電力消費をできるだけ抑えることが強く望まれており、この点に関する技術としては、例えば特許文献１のようなものが提供されている。
【先行技術文献】
【特許文献】
【０００３】
【特許文献１】特開２００９−２７７０３３号公報
【発明の概要】
【発明が解決しようとする課題】
【０００４】
特許文献１で開示される携帯型コード読取装置は、装置内に３軸加速度センサ２１が搭載されると共に、装置の加速度の平均値や分散値が把握可能とされている。そして、装置が読取状態であるか否かを、把握された加速度の平均値や分散値に基づいて判断し、読取状態でないと判断した場合には光の照射をオフしている。つまり、加速度検出結果から読取状態ではないと推測される場合に光の照射をオフすることで省電力化を図っている。
【０００５】
しかしながら、特許文献１の技術は、単に読取状態であるか否かを判断し、読取状態でないときに一部部品の駆動を停止させるだけのものであるため、読み取り動作を行う際の電力消費を抑える上では不十分である。例えば、この種の携帯型読取装置の内部には、ユーザに対する報知を行うための様々な電子部品（表示部やスピーカ等）が設けられるが、読み取りの際に全ての電子部品を最大限の状態で駆動させてしまうと、電力消費が非常に大きくなり、動作時間を縮小させてしまうことになる。また、このように電力消費が大きい読取動作が繰り返されると、電池の充電サイクルが短くなりやすく、電池の劣化を招きやすくなる。一方、読み取りの際の電力消費を抑えるために、闇雲に各部品の動作を抑制してしまうと、適切な報知が行われない等、ユーザの利便性を損ねる虞がある。
【０００６】
本発明は、上述した課題を解決するためになされたものであり、報知部の動作状態を、装置の具体的態様（姿勢や位置）に合わせた動作状態とすることができ、報知部をより効果的且つ効率的に動作させ易い携帯型読取装置を提供することを目的とする。
【課題を解決するための手段】
【０００７】
本発明は、
読取対象を読み取る読取部と、
情報を報知するための報知部と、
前記読取部及び前記報知部を保持するケースと、
前記読取部及び前記報知部が前記ケースに組み付けられてなる装置本体の姿勢又は位置の少なくともいずれかを検出する装置状態検出部と、
前記装置状態検出部によって検出される前記装置本体の姿勢又は位置の少なくともいずれかが、予め定められた複数の装置状態のいずれに該当するかを判定する装置状態判定部と、
前記複数の装置状態のそれぞれに対応する前記報知部の動作状態が予め定められ、前記読取部による前記読取対象の読み取りが終了する前又は終了した後の少なくともいずれかの時期において前記装置状態判定部にて判定された装置状態に対応する動作状態となるように、少なくとも前記読取部による前記読取対象の読み取りの際又は読み取り後における前記報知部の動作を制御する制御部と、
を有し、
前記読取部による前記読取対象の読取結果が所定の読取成功状態であるかを判定可能な読取結果判定部を備え、
前記報知部は、音を発生させる発音部及び振動を発生させる振動部の少なくともいずれかを備えた補助報知部を含み、
前記装置状態判定部は、前記装置状態検出部で検出される前記装置本体の姿勢が、所定の下向き状態ではない第一姿勢、又は前記下向き状態である第二姿勢のいずれに該当するかを判定可能であり、
前記制御部は、
前記読取部による前記読取対象の読み取りが終了する前又は終了した後の少なくともいずれかの時期に前記装置状態判定部によって前記装置本体の姿勢が前記第一姿勢であると判定された場合には、前記読取結果判定部によって前記読取成功状態と判定された場合に前記補助報知部とは異なる主報知部として画像を表示可能な表示装置を動作させる第１状態とし、
前記読取部による前記読取対象の読み取りが終了する前又は終了した後の少なくともいずれかの時期に前記装置状態判定部によって前記装置本体の姿勢が前記第二姿勢であると判定された場合には、前記読取結果判定部によって前記読取成功状態と判定された場合に、前記主報知部の動作を前記第１状態よりも抑えた第２状態とし、前記補助報知部を所定の報知状態に変化させることを特徴とする。
【発明の効果】
【０００８】
請求項１の発明では、装置状態検出部によって検出された装置本体の姿勢又は位置の少なくともいずれかが、予め定められた複数の装置状態のいずれに該当するかを判定する装置状態判定部が設けられている。そして、制御部は、読取部による読取対象の読み取りが終了する前又は終了した後の少なくともいずれかの時期において装置状態判定部にて判定された装置状態に対応する動作状態となるように、少なくとも読取部による読取対象の読み取りの際又は読み取り後における報知部の動作を制御する構成となっている。この構成によれば、報知部の動作状態を、装置の具体的態様（姿勢や位置）に合わせた動作状態とすることができ、報知部による報知を一律に行う構成と比べて、報知部をより効果的且つ効率的に動作させ易くなる。
特に、読取部による読取対象の読み取りが終了する前又は終了した後の少なくともいずれかの時期に装置状態判定部によって装置本体の姿勢が第一姿勢（下向き姿勢ではない姿勢）であると判定された場合には、読取結果判定部によって読取成功状態と判定された場合に補助報知部とは異なる主報知部を動作させる第１状態とする。一方、読取部による読取対象の読み取りが終了する前又は終了した後の少なくともいずれかの時期に装置状態判定部によって装置本体の姿勢が第二姿勢（下向き姿勢）であると判定された場合には、読取結果判定部によって読取成功状態と判定された場合に、主報知部の動作を第１状態よりも抑えた第２状態とし、補助報知部を所定の報知状態に変化させる。
この構成では、装置本体が下向き姿勢でない場合には、読取成功の際に主報知部による報知を行い、装置本体が下向き姿勢である場合には、読取成功の際に主報知部による報知を抑えることができる。従って、下向き姿勢の場合に主報知部による報知を受けにくく、下向き姿勢でない場合に主報知部による報知を受けやすい用途において、読取成功を効率的に報知することができる。また、下向き姿勢の場合に主報知部による報知を抑えると、読取成功が伝達されにくくなることが懸念されるが、本構成では、下向き姿勢の場合には、読取成功の際に補助報知部による報知（発音又は振動の少なくともいずれかによる報知）が可能となるため、主報知部の抑制に伴う問題を補助報知部によって補うことができる。
【０００９】
請求項２の発明では、装置本体の姿勢又は位置が所定の第一装置状態であるときに表示装置を通常動作させ、装置本体の姿勢又は位置が所定の第二装置状態であるときに表示装置を省電力動作させることが望ましい用途において特に有利になる。
【００１０】
請求項３の発明では、読取対象の読み取りに関し、装置本体が下向き姿勢ではない場合には液晶表示器が第一動作状態（バックライトを点灯させつつ表示画面に画像を表示する動作状態）となり、装置本体が下向き姿勢である場合には液晶表示器が第二動作状態（バックライトを消灯させる動作状態）となる。従って、下向き姿勢の場合に液晶表示器が認識されにくく、下向き姿勢でない場合に液晶表示器が認識され易くなる用途において特に有利になる。
【００１１】
請求項４の発明では、読取対象の読み取りが成功した場合、装置本体が第一姿勢（下向き姿勢ではない姿勢）の場合には点灯部が所定の点灯状態となり、装置本体が第二姿勢（下向き姿勢）である場合には点灯部が所定の点灯抑制状態となる。従って、下向き姿勢の場合に点灯部が認識されにくく、下向き姿勢でない場合に点灯部が認識され易くなる用途において特に有利となる。
【００１３】
請求項５の発明では、読取部による読取対象の読み取りが終了する前又は終了した後の少なくともいずれかの時期において装置状態判定部によって装置本体の姿勢が第一姿勢（下向き姿勢ではない姿勢）であると判定された場合には、読取結果判定部によって読取成功状態と判定された場合に補助報知部を所定の報知状態のときよりも電力消費を抑えた補助報知抑制状態とする。一方、読取部による読取対象の読み取りが終了する前又は終了した後の少なくともいずれかの時期において装置状態判定部によって装置本体の姿勢が第二姿勢（下向き姿勢）であると判定された場合には、読取結果判定部によって読取成功状態と判定された場合に補助報知部を補助報知抑制状態のときよりも電力消費が大きくなる所定の報知状態とする。
この構成では、装置本体が下向き姿勢でない場合、読取成功の際に主報知部による報知を行い、補助報知部については電力消費を抑えた補助報知抑制状態とすることができる。つまり、主報知部による報知が有効の場合には補助報知部の報知を抑制することができるため、報知をより確実に行いつつ補助報知部に起因する電力消費を確実に抑えることができる。
【００１４】
請求項６の発明では、モード切替部は、携帯型読取装置が読取モードであるときに装置状態検出部で検出される装置本体の姿勢が所定の低変化状態となった場合、当該携帯型読取装置を、読取モード（読取部での読み取りが可能なモード）から当該読取モードのときよりも電力消費を抑える待機モードに切り替える。一方、当該携帯型読取装置が待機モードであるときに装置状態検出部で検出される装置本体の姿勢が所定の変化状態となった場合、当該携帯型読取装置を、待機モードから読取モードに切り替える。
この構成によれば、装置本体の姿勢の変化度合いが低く、装置（携帯型読取装置）が使用されていない可能性が高い場合に、自動的に待機モードに切り替え、電力消費を抑えることができる。
【００２０】
請求項７の発明では、装置状態検出部は、装置本体において定められた複数の方向の加速度を検出する加速度検出部を備える。そして、装置状態判定部は、読取部による読取対象の読み取りが終了する前又は終了した後の少なくともいずれかの時期に加速度検出部で検出された検出結果に基づいて装置本体の姿勢又は位置の少なくともいずれかが複数の装置状態のいずれに該当するかを判定する。
このように複数の方向の加速度を検出可能な加速度検出部を用いれば、装置本体の姿勢をより迅速に且つより正確に検出し易くなる。
【図面の簡単な説明】
【００２３】
【図１】図１は、第１実施形態に係る携帯型読取装置を概略的に示す図であり、図１（Ａ）は、その平面図であり、図１（Ｂ）はその側面図である。
【図２】図２は、図１の携帯型読取装置の電気的構成を例示するブロック図である。
【図３】図３は、図１の携帯型読取装置にて行われる電力制御の流れを例示するフローチャートである。
【図４】図４は、図１の携帯型読取装置にて行われる読取処理の流れを例示するフローチャートである。
【図５】図５は、図１の携帯型読取装置を上向き状態で操作する例を示す説明図である。
【図６】図６は、図１の携帯型読取装置を下向き状態で操作する例を示す説明図である。
【図７】図７は、第２実施形態に係る携帯型読取装置を表向き水平姿勢且つ前位置で操作する場合の例を概念的に説明する説明図である。
【図８】図８は、第２実施形態に係る携帯型読取装置を表向き縦姿勢且つ前位置で操作する場合の例を概念的に説明する説明図である。
【図９】図９は、第２実施形態に係る携帯型読取装置を表向き縦姿勢且つ上位置で操作する場合の例を概念的に説明する説明図である。
【図１０】図１０は、第２実施形態に係る携帯型読取装置を表向き縦姿勢且つ下位置で操作する場合の例を概念的に説明する説明図である。
【図１１】図１１は、第２実施形態に係る携帯型読取装置を裏向き斜め姿勢且つ下位置で操作する場合の例を概念的に説明する説明図である。
【図１２】図１２は、第２実施形態に係る携帯型読取装置を表向き斜め姿勢且つ下位置で操作する場合の例を概念的に説明する説明図である。
【発明を実施するための形態】
【００２４】
[第１実施形態]
以下、第１実施形態について、図面を参照して説明する。
（携帯型読取装置の基本構造）
図１で示す携帯型情報コード読取装置１（以下、情報コード読取装置１、又は読取装置１ともいう）は、携帯型読取装置の一例に相当するものであり、長手状の外観をなし、その一端側のほぼ半分の領域が把持領域とされ、ユーザによって把持されつつ使用される構成をなしている。この情報コード読取装置１は、例えば、ユーザによって携帯されて様々な場所で用いられる携帯型の情報端末として構成されており、バーコードや二次元コードなどの情報コードＣを読み取る機能を有している。
【００２５】
図１（Ａ）（Ｂ）で示すように、情報コード読取装置１は、例えばＡＢＳ樹脂等の合成樹脂材料により形成される上側ケース体１０ａおよび下側ケース体１０ｂが組み付けられて構成される長手状のケース１０によって外郭が形成されている。そして、上側ケース体１０ａには、所定の情報を入力する際に操作されるファンクションキーおよびテンキー等の操作部４２や、所定の情報を表示するための表示部（液晶表示器４６）等が配置されている。なお、図１の例では、ケース１０の長手方向一方側の所定第１領域において、相対的に幅の大きい大幅部が構成され、ケース１０の長手方向他方側の所定第２領域において、大幅部よりも相対的に幅の狭い小幅部が構成されており、この小幅部がユーザによって把持される領域（把持部）として機能している。また、照明光や情報コードからの光の通過口となる読取口１０ｃは、上記大幅部においてケース１０の長手方向一方側の先端部寄り且つ裏面部側に設けられている。
【００２６】
図２に示すように、情報コード読取装置１は、主に、照明光源２１、受光センサ２３、フィルタ２５、結像レンズ２７等の光学系と、メモリ３５、制御回路４０、操作部４２、液晶表示器４６等のマイクロコンピュータ（以下「マイコン」という）系と、電源スイッチ４１、電池４９等の電源系と、から構成されている。なお、これらは、図略のプリント配線板に実装されたり、ケース１０内に内装されたりして配置されている。
【００２７】
光学系は、照明光源２１、受光センサ２３、フィルタ２５、結像レンズ２７等から構成されている。照明光源２１は、照明光Ｌｆを発光可能な照明光源として機能するもので、例えば、赤色のＬＥＤとこのＬＥＤの出射側に設けられる拡散レンズ、集光レンズ等とから構成されている。本構成では、受光センサ２３を挟んだ両側に照明光源２１が設けられており、ケース１０に形成された読取口１０ｃを介して読取対象物Ｒに向けて照明光Ｌｆを照射可能に構成されている。この読取対象物Ｒとしては、例えば、樹脂材料、金属材料等の様々な対象が考えられ、このような読取対象物Ｒに情報コードＣが印刷、ダイレクトマーキングなどによって形成されている。情報コードＣは、ＱＲコード（登録商標）、データマトリックコード、マキシコード、その他の二次元コードなどであってもよく、一次元バーコードなどの一次元コードであってもよい。
【００２８】
受光センサ２３は、読取対象物Ｒや情報コードＣに照射されて反射した反射光Ｌｒを受光可能に構成されるもので、例えば、Ｃ−ＭＯＳやＣＣＤ等の固体撮像素子である受光素子を２次元に配列したエリアセンサが、これに相当する。この受光センサ２３は、結像レンズ２７を介して入射する入射光を受光面２３ａで受光可能に図略のプリント配線板に実装されている。
【００２９】
フィルタ２５は、反射光Ｌｒの波長相当以下の光の通過を許容し、当該波長相当を超える光の通過を遮断し得る光学的なローパスフィルタで、ケースに形成された読取口１０ｃと結像レンズ２７との間に設けられている。これにより、反射光Ｌｒの波長相当を超える不要な光が受光センサ２３に入射することを抑制している。また、結像レンズ２７は、例えば、鏡筒とこの鏡筒内に収容される複数の集光レンズとによって構成されており、本構成では、ケースに形成された読取口１０ｃに入射する反射光Ｌｒを集光し、受光センサ２３の受光面２３ａに情報コードＣのコード画像を結像するように構成されている。
【００３０】
マイコン系は、増幅回路３１、Ａ／Ｄ変換回路３３、メモリ３５、アドレス発生回路３６、同期信号発生回路３８、制御回路４０、操作部４２、三軸センサ４３、液晶表示器４６、通信インタフェース４８等から構成されている。このマイコン系は、マイコン（情報処理装置）として機能し得る制御回路４０及びメモリ３５を中心として構成され、前述した光学系によって撮像された情報コードＣの画像信号をハードウェア的およびソフトウェア的に信号処理し得るものである。
【００３１】
光学系の受光センサ２３から出力される画像信号（アナログ信号）は増幅回路３１に入力され、この増幅回路３１によって所定ゲインで増幅された後、Ａ／Ｄ変換回路３３に入力され、アナログ信号からディジタル信号に変換される。そして、ディジタル化された画像信号、つまり画像データ（画像情報）は、メモリ３５に入力され、当該メモリ３５の画像データ蓄積領域に蓄積される。なお、同期信号発生回路３８は、受光センサ２３およびアドレス発生回路３６に対する同期信号を発生可能に構成されており、またアドレス発生回路３６は、この同期信号発生回路３８から供給される同期信号に基づいて、メモリ３５に格納される画像データの格納アドレスを発生可能に構成されている。
【００３２】
メモリ３５は、例えば半導体メモリ装置などの公知の記憶媒体によって構成され、例えばＲＡＭ、ＲＯＭ、その他の不揮発性メモリなどがこれに相当する。このメモリ３５のうちのＲＡＭには、前述した画像データ蓄積領域のほかに、制御回路４０が算術演算や論理演算等の各処理時に利用する作業領域や読取条件テーブルも確保可能に構成されている。またＲＯＭには、後述する読取処理等を実行可能な所定プログラムやその他、照明光源２１、受光センサ２３等の各ハードウェアを制御可能なシステムプログラム等が予め格納されている。
【００３３】
制御回路４０は、情報コード読取装置１を全体的に制御可能なマイコンなどによって構成されており、ＣＰＵ、システムバス、入出力インタフェース等からなるものであり、情報処理機能を有している。この制御回路４０には、内蔵された入出力インタフェースを介して種々の入出力装置（周辺装置）が接続されており、図２の構成では、電源スイッチ４１、操作部４２、三軸センサ４３、スピーカ部４４、ＬＥＤ４５、液晶表示器４６、バイブレータ４７、通信インタフェース４８等が接続されている。
【００３４】
通信インタフェース４８は、例えば、情報コード読取装置１の外部に設けられた外部装置Ｈと公知の通信方式で通信を行うインタフェースとして機能する。この通信インタフェース４８は、例えば、公知の無線通信方式で無線通信を行う無線通信インタフェースを有しており、外部装置Ｈとの間でデータの送受信を行い得る構成となっている。
【００３５】
電源系は、電源スイッチ４１、電池４９等により構成されており、制御回路４０により管理される電源スイッチ４１のオンオフによって、上述した各装置や各回路に、電池４９から供給される駆動電圧の導通や遮断が制御されている。電池４９は、所定の直流電圧を発生可能な公知の二次電池によって構成されており、例えば、リチウムイオン電池等がこれに相当する。
【００３６】
また、情報コード読取装置１には、三軸センサ４３が設けられている。この三軸センサ４３は、公知の加速度センサによって構成され、本構成では、装置本体２において互いに直交する方向として定められた所定の三方向（Ｘ軸方向、Ｙ軸方向、Ｚ軸方向）の各加速度を測定する構成となっている。具体的には、図１で示すように、装置本体２の長手方向（即ち、ケース１０の長手方向）をＸ軸方向としている。そして、このＸ軸方向と直交する方向であって且つ情報コード読取装置１の幅方向をＺ軸方向としている。具体的には、図１のように、装置本体２における表示側の外面部（液晶表示器４６によって情報が表示される領域の外面部４６ａ）が平坦に構成されており、この外面部４６ａと平行な方向であって且つ上記Ｘ軸方向と平行な方向がＺ軸方向となっている。更に、これらＸ軸方向及びＺ軸方向と直交する方向（ケース１０の厚さ方向）をＹ軸方向としている。また、装置本体２において、Ｘ軸方向の一方側（図１の例では、液晶表示器４６側）が「前側」であり、Ｘ軸正方向として表している。また、Ｘ軸方向の他方側（図１の例では、液晶表示器４６側とは反対側）が「後側」であり、Ｘ軸負方向として表している。更に、Ｚ軸方向の一方側が「右側」であり、Ｚ軸正方向として表している。また、Ｚ軸方向の他方側が「左側」であり、Ｚ軸負方向として表している。更に、Ｙ軸方向の一方側（図１の例では、液晶表示器４６による表示側）が「表側」であり、Ｙ軸正方向として表している。更に、Ｙ軸方向の他方側（図１の例では、液晶表示器４６による表示側とは反対側）が「裏側」であり、Ｙ軸負方向として表している。
【００３７】
制御回路４０は、三軸センサ４３による各方向の検出値（Ｘ、Ｙ、Ｚ軸方向の各加速度）に基づき、公知の方法で、鉛直方向の向きと、情報コード読取装置１が移動している方向の向きを特定可能とされている。なお、三軸の加速度センサによって進行方向や鉛直方向を特定する技術は公知であるので詳細な省略するが、例えば、特開２００３−３０２４１９公報、特開２００７−３２５７２２公報などに示される方法のほか、公知の様々な方法を用いることができる。具体的には、例えば、所定の短時間毎に、Ｘ、Ｙ、Ｚ軸方向の加速度検出結果に基づいてＸ、Ｙ、Ｚ軸方向のそれぞれの移動距離を求めることができるようになっている。
【００３８】
（電力制御）
次に、読取装置１で行われる電力制御処理について図３等を参照して説明する。
読取装置１は、例えば、図３のような流れで電力制御処理を行う。この図３の処理は、読取装置１において所定の開始条件が成立した場合（例えば、読取装置１の電源が投入された場合や、読取装置１において所定の制御開始操作がなされた場合など）に実行される処理である。読取装置１は、図３の処理の開始に伴い、装置本体２が「所定の下向き状態」であるか否かを判断する（Ｓ１）。この「所定の下向き状態」は、例えば、装置本体２の長手方向一方側（前側）が鉛直下方側に向いた状態（図６参照）又は装置本体２の厚さ方向一方側（表側）が鉛直下方側に向いた状態のいずれかの状態であり、このような下向き状態である場合にはＳ１にてＹｅｓに進み、液晶表示器４６のバックライトを消灯状態とする（Ｓ２）。一方、このような下向き状態ではない場合にはＳ１にてＮｏに進み、液晶表示器４６のバックライトを点灯状態とする（Ｓ３）。なお、Ｓ３の処理前からバックライトが既に点灯している場合には、Ｓ３の処理ではその点灯状態を継続することになる。このように、図３の電力制御処理では、継続的に装置本体２の姿勢を検出しており、装置本体２の姿勢が「所定の下向き状態」となった場合にバックライトを消灯して消費電力を抑制している。
【００３９】
また、Ｓ２又はＳ３にてバックライトの状態が決まった後には、装置本体２の姿勢が「所定の無変化状態」であるか否かを判断する（Ｓ４）。このＳ４の処理では、例えば、一定時間の間、上述した三軸センサ４３によるＸ軸方向、Ｙ軸方向、Ｚ軸方向の加速度検出結果を監視し、その一定時間の間にＸ軸方向、Ｙ軸方向、Ｚ軸方向のいずれかで所定閾値を超える加速度変化があったか否かを判断する。そして、一定時間の間にＸ軸方向、Ｙ軸方向、Ｚ軸方向のいずれにおいても所定閾値を超える加速度変化が無い場合には、その一定時間の間は「所定の無変化状態」であると判定し、Ｓ４にてＹｅｓに進み、装置本体２を省電力状態とする（Ｓ５）。このＳ５の省電力状態は、様々であり、例えば、読取機能の無効化などが挙げられる。読取機能の無効化の例としては、受光センサ２３による撮像の停止、照明光源２１による照明光の停止、制御回路４０によるデコード処理の停止などが挙げられ、少なくともこれらのいずれかの停止制御（望ましくはこれらすべての停止制御）を行う。なお、省電力状態の例としては、この例に限られず、他の電子部品の動作を停止してもよい。
【００４０】
一方、Ｓ２又はＳ３の後に三軸センサ４３を一定時間の間監視した結果、装置本体２の姿勢が上述した「所定の無変化状態」でないと判断される場合にはＳ４にてＮｏに進み、Ｓ１以降の処理を繰り返す。なお、図３の電力制御処理は、所定の開始条件の成立に伴って実行されるが、この処理は、所定の終了条件の成立時（例えば、読取装置１の電源オフ時や、所定の終了操作が行われた場合など）に終了するようにすればよい。また、読取装置１は、常に図３の処理を行う構成である必要はなく、例えば、図３のような処理を継続的に行うモードと、図３の処理を行わないモードとに切替可能に構成されていてもよい。
【００４１】
（読取処理）
次に、読取装置１で行われる読取処理について図４等を参照して説明する。
この図４の処理は、読取装置１において、所定の開始条件が成立した場合（例えば、読取装置１の電源が投入された場合や、読取装置１において所定の読取開始操作がなされた場合など）に実行される処理である。読取装置１は、図４の処理の開始に伴い、受光センサ２３による撮像を開始する（Ｓ１０）。このＳ１０の処理が実行されると、受光センサ２３の撮像範囲に情報コードＣが入った場合に情報コードＣが撮像されることになる。そして、Ｓ１０の処理で情報コードＣが撮像された場合、その情報コードＣの解読を公知の方法で試みる（Ｓ１１）。例えば、情報コードＣが一次元バーコードであれば公知の方法でその一次元バーコードを読み取ればよく、情報コードＣがＱＲコード（登録商標）であれば公知の方法でそのＱＲコードを読み取ればよい。その他の種類の情報コードでも同様である。そして、Ｓ１１の処理において情報コードＣの解読が成功した場合には、Ｓ１２にてＹｅｓに進み、装置本体２が上述した「所定の下向き状態」であるか否かを判断する（Ｓ１３）。この「所定の下向き状態」は、上述したように装置本体２の長手方向一方側（前側）が鉛直下方側に向いた状態（図６参照）又は装置本体２の厚さ方向一方側（表側）が鉛直下方側に向いた状態のいずれかの状態である。そして、「所定の下向き状態」ではない場合（例えば、図５のような場合）には、Ｓ１３にてＮｏに進み、第１動作状態で読み取りの成功を報知する（Ｓ１４）。具体的には、ＬＥＤ４５を消灯状態から読取成功用の点灯状態（例えば、継続した点灯状態や、所定の成功色のＬＥＤを点灯させる状態など）に切り替える。なお、第１動作状態で読み取りの成功を報知する場合、スピーカ部４４等による成功音の発生を中止又は抑制し、バイブレータ４７による成功時の振動動作を中止又は抑制する。成功音の抑制は、例えばスピーカ部４４から発する音を小さくしたり、音の発生時間を短時間にしたりする例が挙げられる。また、成功時の振動動作の抑制は、バイブレータ４７の振動を小さくしたり、振動期間を短くしたりする例が挙げられる。なお、このＳ１４の場合、液晶表示器４６のバックライトは点灯状態とすればよく、このような液晶表示器４６で所定情報（解読が成功した旨の情報や解読結果など）を表示してもよい。
【００４２】
一方、Ｓ１３において「所定の下向き状態」であると判断される場合には、Ｓ１３にてＹｅｓに進み、第２動作状態で読み取りの成功を報知する（Ｓ１５）。具体的には、ＬＥＤ４５を消灯状態で維持し、スピーカ部４４等による成功音（例えば所定のメロディー）の発生及びバイブレータ４７による成功時の振動動作を行う。なお、Ｓ１４で「成功音の抑制」を行うような構成では、Ｓ１５においてスピーカ部４４等によって成功音を発生させる場合、例えば、上述した「成功音の抑制」の場合よりもスピーカ部４４から発する音を大きくしたり、「成功音の抑制」の場合よりも音の発生時間を長くしたりすればよい。また、Ｓ１４で「成功時の振動動作の抑制」を行うような構成では、Ｓ１５においてバイブレータ４７による成功時の振動動作を行う場合、上述した「成功時の振動動作の抑制」よりも、バイブレータ４７の振動を大きくしたり、上述した「成功時の振動動作の抑制」よりも、バイブレータ４７の振動期間を長くしたりすればよい。また、このＳ１５の場合には、液晶表示器４６のバックライトは消灯状態とすればよい。
【００４３】
Ｓ１１の処理において情報コードＣの解読が失敗した場合には、Ｓ１２にてＮｏに進み、この場合も、装置本体２が上述した「所定の下向き状態」であるか否かを判断する（Ｓ１６）。そして、「所定の下向き状態」ではない場合には、Ｓ１６にてＮｏに進み、第１動作状態で読み取りの失敗を報知する（Ｓ１７）。具体的には、ＬＥＤ４５を消灯状態からエラー用の点灯状態（例えば、点滅状態や、所定の失敗色のＬＥＤを点滅させる状態など）に切り替える。なお、この失敗時の第１動作状態では、スピーカ部４４等による失敗音（例えば、所定のブザー音）の発生を中止又は抑制する。失敗音の抑制としては、例えばスピーカ部４４等から発する失敗音を小さくしたり、短時間にしたりする例が挙げられる。なお、このＳ１７の場合、液晶表示器４６のバックライトは点灯状態とすればよく、このような液晶表示器４６で所定情報（解読が失敗した旨の情報など）を表示してもよい。
【００４４】
一方、Ｓ１６において「所定の下向き状態」であると判断される場合には、Ｓ１６にてＹｅｓに進み、第２動作状態で読み取りの失敗を報知する（Ｓ１８）。具体的には、ＬＥＤ４５を消灯状態で維持し、スピーカ部４４等による失敗音の発生などを行う。なお、Ｓ１７で「失敗音の抑制」を行うような構成では、Ｓ１８においてスピーカ部４４等によって失敗音を発生させる場合、例えば、上述した「失敗音の抑制」の場合よりもスピーカ部４４等から発する失敗音を大きくしたり、音の発生期間を長くしたりすればよい。また、このＳ１５の場合には、液晶表示器４６のバックライトは消灯状態とすればよい。
【００４５】
なお、上述した代表例では、「所定の下向き状態」として、装置本体２の長手方向一方側（前側）が鉛直下方側に向いた状態又は装置本体２の厚さ方向一方側（表側）が鉛直下方側に向いた状態のいずれかの状態である例を示したが、いずれか一方の状態のみを「所定の下向き状態」とし、そうでない場合を「所定の下向き状態ではない状態」としてもよい。例えば、装置本体２の長手方向一方側（前側）が鉛直下方側に向いた状態のみを「所定の下向き状態」とし、装置本体２の長手方向他方側（後側）が鉛直下方側に向いた状態のみを「所定の上向き状態」として上述した各処理を行ってもよい。なお、「装置本体２の長手方向一方側（前側）が鉛直下方側に向いた状態」は、例えば装置本体２の長手方向一方側の端部よりも装置本体２の長手方向他方側の端部のほうが鉛直方向において上位置にある状態である。また、「装置本体２の長手方向他方側（後側）が鉛直下方側に向いた状態」は、例えば装置本体２の長手方向他方側の端部よりも装置本体２の長手方向一方側の端部のほうが鉛直方向において上位置にある状態である。或いは、装置本体２の厚さ方向一方側（表側）が鉛直下方側に向いた状態のみを「所定の下向き状態」とし、装置本体２の厚さ方向他方側（裏側）が鉛直下方側に向いた状態のみを「所定の上向き状態」として上述した各処理を行ってもよい。
【００４６】
また、上述した代表例では、「所定の第一装置状態」の例として、「所定の下向き状態ではない状態」（即ち、所定の上向き状態）を例示し、所定の第二装置状態の例として、「所定の下向き状態」を例示したが、装置本体２が所定の下方位置にない場合を「所定の第一装置状態」として、装置本体２が所定の下方位置にある場合を「所定の第二装置状態」としてもよい。例えば、装置本体２の鉛直方向の位置が所定の基準位置よりも上側にある場合を所定の第一装置状態とし、装置本体２の鉛直方向の位置が所定の基準位置よりも下側にある場合を所定の第二装置状態としてもよい。
【００４７】
本構成では、制御回路４０及び受光センサ２３が読取部の一例に相当し、読取対象を読み取るように機能する。また、バックライトを備えてなる液晶表示器４６が、報知部及び画像を表示可能な表示装置の一例に相当し、情報を報知するように機能する。また、制御回路４０及び三軸センサ４３が装置状態検出部の一例に相当し、装置本体２の姿勢又は位置の少なくともいずれかを検出するように機能する。なお、装置本体２は、上述した読取部や報知部などがケース１０に組み付けられて一体的に構成される部分であり、上述した例では、読取装置１全体が装置本体２に相当している。また、本構成では、ケース１０に読取部や報知部が保持されているが、保持構造は限定されず、読取部や報知部がケース１０に対して他部材を介して間接的に固定されていてもよく、直接的に固定されていてもよい。
【００４８】
また、制御回路４０及び三軸センサ４３は、装置状態判定部の一例に相当し、装置状態検出部によって検出される装置本体２の姿勢又は位置の少なくともいずれかが、予め定められた複数の装置状態のいずれに該当するかを判定するように機能する。また、制御回路４０は、制御部の一例に相当し、複数の装置状態のそれぞれに対応する報知部の動作状態が予め定められ、読取部による読取対象の読み取りが終了する前又は終了した後の少なくともいずれかの時期において装置状態判定部にて判定された装置状態に対応する動作状態となるように、少なくとも読取部による読取対象の読み取りの際又は読み取り後における報知部の動作を制御するように機能する。
【００４９】
（本構成の主な効果）
以上のように、本構成では、装置状態検出部によって検出された装置本体２の姿勢又は位置の少なくともいずれかが、予め定められた複数の装置状態のいずれに該当するかを判定する装置状態判定部が設けられている。そして、制御部は、読取部による読取対象の読み取りが終了する前又は終了した後の少なくともいずれかの時期において装置状態判定部にて判定された装置状態に対応する動作状態となるように、少なくとも読取部による読取対象の読み取りの際又は読み取り後における報知部の動作を制御する構成となっている。この構成によれば、報知部の動作状態を、装置の具体的態様（姿勢や位置）に合わせた動作状態とすることができ、報知部による報知を一律に行う構成と比べて、報知部をより効果的且つ効率的に動作させ易くなる。
【００５０】
また、本構成では、制御部に相当する制御回路４０において、表示装置の動作状態として、所定の通常動作状態と、通常動作状態のときよりも電力消費を抑える省電力動作状態と、が定められている。そして、読取部による読取対象の読み取りが終了する前の所定時期に装置状態判定部によって装置本体２の姿勢又は位置の少なくともいずれかが所定の第一装置状態であると判定された場合には、少なくとも読取部によって読取対象を読み取る際の表示装置の動作状態を通常動作状態とし、読取部による読取対象の読み取りが終了する前の所定時期に装置状態判定部によって装置本体の姿勢又は位置の少なくともいずれかが所定の第二装置状態であると判定された場合には、少なくとも読取部によって読取対象を読み取る際の表示装置の動作状態を省電力動作状態とする。この構成によれば、装置本体２の姿勢が所定の第一装置状態であるときに表示装置を通常動作させ、装置本体の姿勢が所定の第二装置状態であるときに表示装置を省電力動作させることが望ましい用途において特に有利になる。
【００５１】
具体的には、装置状態判定部は、装置状態検出部で検出される装置本体２の姿勢が、所定の下向き状態ではない第一姿勢、又は下向き状態である第二姿勢のいずれに該当するかを判定可能となっている。そして、制御部は、液晶表示器４６の通常動作状態としてバックライトを点灯させつつ表示画面に画像を表示する第一動作状態が定められ、液晶表示器４６の省電力動作状態として少なくともバックライトを消灯させる第二動作状態が定められている。そして、読取部による読取対象の読み取りが終了する前の所定時期に装置状態判定部によって装置本体２の姿勢が第一姿勢（所定の下向き状態ではない姿勢）であると判定された場合には、少なくとも読取部によって読取対象を読み取る際の液晶表示器４６の動作状態を第一動作状態とし、読取部による読取対象の読み取りが終了する前の所定時期に装置状態判定部によって装置本体２の姿勢が第二姿勢（所定の下向き状態である姿勢）であると判定された場合には、少なくとも読取部によって読取対象を読み取る際の液晶表示器４６の動作状態を第二動作状態とする。
つまり、読取対象の読み取りに際し、装置本体２が下向き姿勢ではない場合には液晶表示器４６が第一動作状態（バックライトを点灯させつつ表示画面に画像を表示する動作状態）となり、装置本体２が下向き姿勢である場合には液晶表示器４６が第二動作状態（バックライトを消灯させる動作状態）となる。従って、図６のように下向き姿勢の場合に液晶表示器４６が認識されにくく、図５のように下向き姿勢でない場合に液晶表示器４６が認識され易くなる用途において特に有利になる。例えば、液晶表示器４６が見やすい上向き姿勢の場合（下向き姿勢ではない場合）に液晶表示器４６を動作させて表示内容を把握しやすくし、液晶表示器４６が見えにくい下向き姿勢の場合に液晶表示器４６の消費電力を抑えて省電力化を図るといったことが可能となる。
【００５２】
また、本構成では、制御回路４０は、読取結果判定部の一例に相当し、読取部による読取対象の読取結果が所定の読取成功状態であるかを判定可能となっている。また、ＬＥＤ４５は、報知部、点灯部の一例に相当し、点灯状態と非点灯状態とに変化可能に構成されている。そして、制御部に相当する制御回路４０は、読取部による読取対象の読み取りが終了する前又は終了した後の少なくともいずれかの時期において装置状態判定部によって装置本体２の姿勢が第一姿勢（所定の下向き状態ではない姿勢）であると判定された場合、読取結果判定部によって読取成功状態と判定されることに応じてＬＥＤ４５（点灯部）を所定の点灯状態（例えば、継続的に点灯し続ける状態）とし、読取部による読取対象の読み取りが終了する前又は終了した後の少なくともいずれかの時期において装置状態判定部によって装置本体２の姿勢が第二姿勢（所定の下向き状態である姿勢）であると判定された場合、読取結果判定部によって読取成功状態と判定された場合にＬＥＤ４５（点灯部）を所定の点灯状態のときよりも電力消費を抑える所定の点灯抑制状態（例えば、非点灯状態）としている。
つまり、読取対象の読み取りが成功した場合、装置本体２が第一姿勢（下向き姿勢ではない姿勢）の場合にはＬＥＤ４５（点灯部）が所定の点灯状態となり、装置本体２が第二姿勢（下向き姿勢）である場合にはＬＥＤ４５（点灯部）が所定の点灯抑制状態となる。従って、下向き姿勢の場合にＬＥＤ４５（点灯部）が認識されにくく、下向き姿勢でない場合にＬＥＤ４５（点灯部）が認識され易くなる用途において特に有利となる。例えば、ＬＥＤが見やすい上向き姿勢の場合（下向き姿勢ではない場合）にＬＥＤ４５を動作させて点灯を把握しやすくし、ＬＥＤ４５が見えにくい下向き姿勢の場合にＬＥＤ４５の消費電力を抑えて省電力化を図るといったことが可能となる。
【００５３】
また、本構成では、スピーカ部４４が報知部、補助報知部の一例に相当し、音を発生させる発音部としての機能を有する。また、バイブレータ４７も、報知部、補助報知部の一例に相当し、振動を発生させる振動部としての機能を有する。そして、制御部に相当する制御回路４０は、読取部による読取対象の読み取りが終了する前又は終了した後の少なくともいずれかの時期に装置状態判定部によって装置本体２の姿勢が第一姿勢（所定の下向き状態ではない姿勢）であると判定された場合には、読取結果判定部によって読取成功状態と判定されることに応じて補助報知部とは異なる主報知部（液晶表示器４６やＬＥＤ４５等）を動作させる第１状態とし、読取部による読取対象の読み取りが終了する前又は終了した後の少なくともいずれかの時期に装置状態判定部によって装置本体２の姿勢が第二姿勢（所定の下向き状態である姿勢）であると判定された場合には、読取結果判定部によって読取成功状態と判定された場合に、主報知部の動作を第１状態よりも抑えた第２状態としつつ補助報知部を所定の報知状態に変化させる構成となっている。
この構成では、装置本体２が下向き姿勢でない場合には、読取成功の際に主報知部（液晶表示器４６やＬＥＤ４５等）による報知を行い、装置本体２が下向き姿勢である場合には、読取成功の際に主報知部による報知を抑えることができる。従って、下向き姿勢の場合に主報知部による報知を受けにくく、下向き姿勢でない場合に主報知部による報知を受けやすい用途において、読取成功を効率的に報知することができる。例えば、主報知部（液晶表示器４６やＬＥＤ４５等）が見やすい上向き姿勢の場合（下向き姿勢ではない場合）に主報知部を動作させて把握しやすくし、主報知部（液晶表示器４６やＬＥＤ４５等）が見えにくい下向き姿勢の場合に主報知部の消費電力を抑えて省電力化を図るといったことが可能となる。また、下向き姿勢の場合に主報知部による報知を抑えると、読取成功が伝達されにくくなることが懸念されるが、本構成では、下向き姿勢の場合には、読取成功の際に補助報知部による報知（発音又は振動の少なくともいずれかによる報知）が可能となるため、主報知部の抑制に伴う問題を補助報知部によって補うことができる。
【００５４】
また、本構成では、制御部に相当する制御回路４０は、読取部による読取対象の読み取りが終了する前又は終了した後の少なくともいずれかの時期において装置状態判定部によって装置本体２の姿勢が第一姿勢（所定の下向き状態ではない姿勢）であると判定された場合には、読取結果判定部によって読取成功状態と判定された場合に補助報知部を所定の報知状態のときよりも電力消費を抑えた補助報知抑制状態とし、読取部による読取対象の読み取りが終了する前又は終了した後の少なくともいずれかの時期において装置状態判定部によって装置本体２の姿勢が第二姿勢（所定の下向き状態である姿勢）であると判定された場合には、読取結果判定部によって読取成功状態と判定された場合に補助報知部を補助報知抑制状態のときよりも電力消費が大きくなる所定の報知状態とする構成となっている。
この構成では、装置本体２が下向き姿勢でない場合、読取成功の際に主報知部による報知を行い、補助報知部については電力消費を抑えた補助報知抑制状態とすることができる。つまり、主報知部による報知が有効の場合には補助報知部の報知を抑制することができるため、主報知部によって報知をより確実に行いつつ補助報知部に起因する電力消費を確実に抑えることができる。逆に、主報知部による報知が有効ではない場合には、主報知部による報知を抑え、補助報知部の報知を強調することができるため、補助報知部によって報知をより確実に行いつつ主報知部に起因する電力消費を確実に抑えることができる。
【００５５】
また、本構成では、制御回路４０がモード切替部の一例に相当し、操作部４２による所定操作に応じて当該携帯型読取装置の状態を読取部での読み取りが可能な読取モードとし、所定の解除条件の成立時に当該携帯型読取装置の状態を読取部での読み取りが行われない非読取モードとする構成となっている。そして、このモード切替部は、当該携帯型読取装置が読取モードであるときに装置状態検出部で検出される装置本体２の姿勢が所定の低変化状態となった場合、図３のＳ５のように、当該読取装置１を、読取モードから当該読取モードのときよりも電力消費を抑える待機モードに切り替え、当該読取装置１が待機モードであるときに装置状態検出部で検出される装置本体２の姿勢が所定の変化状態となった場合、当該読取装置１を、待機モードから読取モードに切り替える構成となっている。
この構成によれば、装置本体２の姿勢の変化度合いが低く、装置（携帯型読取装置）が使用されていない可能性が高い場合に、自動的に待機モードに切り替え、電力消費を抑えることができる。
【００５６】
[第２実施形態]
次に、第２実施形態について、主に、図１、図２、図７〜図１２等を参照して説明する。
本構成に係る読取装置１では、図１、図２のように、第１実施形態と同様のハードウェア構成を備えており、更に、機能を追加した構成となっている。具体的には、第１実施形態の（携帯型読取装置の基本構造）で説明した構成は、第２実施形態でも同様となっている。従って、第１実施形態と同様の構成（携帯型読取装置の基本構造）については、詳細な説明は省略し、適宜、図１、図２等を参照する。なお、第２実施形態の構成は、第１実施形態の構成を全て含んだ構成であってもよく、第１実施形態の構成とは一部が異なっていてもよい。
【００５７】
図１、図２のように、本構成でも、ケース１０が長手状に構成され、且つ長手方向一方側に読取口１０ｃが形成されている。そして、制御回路４０及び受光センサ２３が読取部に相当し、読取対象（情報コードＣなど）を読み取る機能を有する。具体的には、ケース１０に形成された読取口１０ｃを介してケース１０の外部に配置された情報コードＣを撮像する撮像部としての機能と、受光センサ２３（撮像部）によって情報コードＣが撮像された場合に当該情報コードＣの画像を解析して解読する解読部としての機能を有している。また、本構成ではスピーカ部４４が報知部の一例に相当し、情報を報知する機能を有する。そして、このような読取部や報知部がケース１０に保持された形で装置本体２が構成されている。
【００５８】
このような基本構造を前提とし、更に、本構成では、図７等のように、報知部として機能するスピーカ部４４が、装置本体２の各位置にそれぞれ配置された複数のスピーカ部４４ａ〜４４ｆによって構成されている。なお、図７〜図１２では、各スピーカ部４４ａ〜４４ｆを各スピーカ部が設けられる位置に表した点によって概念的に示しており、各各スピーカ部４４ａ〜４４ｆはそれぞれの位置から音を放出することができるようになっている。
【００５９】
なお、本構成でも、制御回路４０が制御部の一例に相当し、複数の装置状態のそれぞれに対応する報知部の動作状態が予め定められ、読取部による読取対象の読み取りが終了する前又は終了した後の少なくともいずれかの時期において装置状態判定部にて判定された装置状態に対応する動作状態となるように、少なくとも読取部による読取対象の読み取りの際又は読み取り後における報知部の動作を制御するように機能する。そして、本構成では、制御部として機能する制御回路４０では、複数の装置状態のそれぞれに対応する複数のスピーカ部４４ａ〜４４ｆの動作状態が予め定められ、読取部による読取対象の読み取りが終了する前又は終了した後の少なくともいずれかの時期において装置状態判定部によって判定された装置状態に対応する動作状態となるように、少なくとも読取部による読取対象の読み取りの際又は読み取り後における複数のスピーカ部４４ａ〜４４ｆの動作を制御するように機能する。
【００６０】
ここで、本構成の読取装置１におけるスピーカ部４４の動作について詳述する。本構成では、三軸センサ４３での検出結果に基づき、装置本体２の鉛直方向の位置と、装置本体２の姿勢とが検出できるようになっている。装置本体２の鉛直方向の位置は、例えば、所定位置（例えば、装置本体２に対して所定の設定操作がなされた位置、或いは所定の読取開始操作がなされた位置）を基準位置として定め、この基準位置からの鉛直方向の移動量をリアルタイムに算出できるようになっている。また、装置本体２の姿勢としては、装置本体２の前側又は後ろ側のいずれが鉛直上方側にあるか及び装置本体の表側又は裏側のいずれが鉛直上方側にあるかをリアルタイムに検出できるようになっている。
【００６１】
以下、具体例について説明する。この具体例では、例えば図７の位置で所定の操作（所定の設定操作や所定の開始操作など）がなされ、このときの装置本体２の鉛直方向の位置が基準位置とされた場合として説明する。なお、図７〜図１２では、矢印にて「上」「下」と図示しているが、図７〜図１２で図示される「上」「下」は鉛直上方、鉛直下方をそれぞれ意味している。
【００６２】
例えば、図７、図８の例は、装置本体２が基準位置から鉛直方向にそれほど移動していない場合の例であり、基準位置２からの鉛直方向の移動量が所定の移動量閾値未満の場合である。このような場合において、図７のように、装置本体２が水平状態にある場合、複数のスピーカ部４４の中でスピーカ部４４ｃのみを動作させる。図７では、このスピーカ部４４ｃによる音が聞こえやすい範囲をＡＲ３として概念的に示している。例えば、読み取りが成功した旨を音声で報知する場合やエラー報知を音声で行う場合、図７のような状態であれば、スピーカ部４４ｃのみによって音声報知を行い、それ以外のスピーカ部４４ａ、４４ｂ、４４ｄ〜４４ｆは動作させないようにする。なお、ここでいう水平状態とは、鉛直方向と直交する水平面と、Ｘ軸方向とのなす角度θ１が所定の第１角度閾値未満の場合を意味している。
【００６３】
また、図８のように、基準位置からの装置本体２の鉛直方向移動量が所定の移動量閾値未満の場合において、装置本体２が縦状態にある場合、複数のスピーカ部４４の中でスピーカ部４４ｂのみを動作させる。なお、図８では、このスピーカ部４４ｂによる音が聞こえやすい範囲をＡＲ２として概念的に示している。例えば、読み取りが成功した旨を音声で報知する場合やエラー報知を音声で行う場合、図８のような状態であれば、スピーカ部４４ｂのみによって音声報知を行い、それ以外のスピーカ部４４ａ、４４ｃ〜４４ｆは動作させないようにする。なお、ここでいう縦状態とは、鉛直方向とＸ軸方向とのなす角度θ２が所定の第２角度閾値未満の場合を意味している。
【００６４】
また、図９のように、基準位置からの鉛直方向上方側への装置本体２の移動量が所定の移動量閾値以上の場合において、装置本体２が縦状態にある場合、複数のスピーカ部４４の中でスピーカ部４４ｃのみを動作させる。図９では、このスピーカ部４４ｃによる音が聞こえやすい範囲をＡＲ３として概念的に示している。例えば、読み取りが成功した旨を音声で報知する場合やエラー報知を音声で行う場合、図９のような状態であれば、スピーカ部４４ｃのみによって音声報知を行い、それ以外のスピーカ部４４ａ、４４ｂ、４４ｄ〜４４ｆは動作させないようにする。ここでいう縦状態も、上述した定義と同様であり、鉛直方向とＸ軸方向とのなす角度θ２が所定の第２角度閾値未満の場合を意味している。
【００６５】
また、図１０のように、基準位置からの鉛直方向下方側への装置本体２の移動量が所定の移動量閾値以上の場合において、装置本体２が縦状態にある場合、複数のスピーカ部４４の中でスピーカ部４４ａのみを動作させる。図１０では、このスピーカ部４４ａによる音が聞こえやすい範囲をＡＲ１として概念的に示している。例えば、読み取りが成功した旨を音声で報知する場合やエラー報知を音声で行う場合、図１０のような状態であれば、スピーカ部４４ａのみによって音声報知を行い、それ以外のスピーカ部４４ｂ〜４４ｆは動作させないようにする。ここでいう縦状態も、上述した定義と同様であり、鉛直方向とＸ軸方向とのなす角度θ２が所定の第２角度閾値未満の場合を意味している。
【００６６】
また、図１１のように、基準位置からの鉛直方向下方側への装置本体２の移動量が所定の移動量閾値以上の場合において、装置本体２が斜め状態にあり、且つ装置本体２の裏面側が鉛直上方側である場合、複数のスピーカ部４４の中でスピーカ部４４ｆのみを動作させる。図１１では、このスピーカ部４４ｆによる音が聞こえやすい範囲をＡＲ６として概念的に示している。例えば、読み取りが成功した旨を音声で報知する場合やエラー報知を音声で行う場合、図１１のような状態であれば、スピーカ部４４ｆのみによって音声報知を行い、それ以外のスピーカ部４４ａ〜４４ｅは動作させないようにする。ここでいう斜め状態は、例えば、鉛直方向とＸ軸方向とのなす角度θ２が所定の第２角度閾値以上の場合を意味している。
【００６７】
また、図１２のように、基準位置からの鉛直方向下方側への装置本体２の移動量が所定の移動量閾値以上の場合において、装置本体２が斜め状態にあり、且つ装置本体２の表面側が鉛直上方側である場合、複数のスピーカ部４４の中でスピーカ部４４ｃのみを動作させる。図１２では、このスピーカ部４４ｃによる音が聞こえやすい範囲をＡＲ３として概念的に示している。例えば、読み取りが成功した旨を音声で報知する場合やエラー報知を音声で行う場合、図１２のような状態であれば、スピーカ部４４ｃのみによって音声報知を行い、それ以外のスピーカ部４４ａ、４４ｂ、４４ｄ〜４４ｆは動作させないようにする。ここでいう斜め状態も、上述した定義と同様であり、例えば、鉛直方向とＸ軸方向とのなす角度θ２が所定の第２角度閾値以上の場合を意味している。
【００６８】
なお、本構成でも、三軸センサ４３及び制御回路４０が装置状態検出部の一例に相当し、読取部及び報知部がケース１０に組み付けられてなる装置本体２の姿勢又は位置の少なくともいずれかを検出するように機能する。そして、制御回路４０が装置状態判定部の一例に相当し、装置状態検出部によって検出される装置本体２の姿勢又は位置の少なくともいずれかが、予め定められた複数の装置状態のいずれに該当するかを判定する機能を有する。そして、制御部に相当する制御回路４０では、複数の装置状態のそれぞれに対応させて複数の複数のスピーカ部４４ａ〜４４ｆの動作箇所を特定する動作パターンがそれぞれ予め定められ、読取部による読取対象の読み取りが終了する前又は終了した後の少なくともいずれかの時期に装置状態判定部によって判定された装置状態に対応する動作パターンにおいて動作箇所とされるスピーカ部を動作させ、当該動作パターンにおいて動作箇所とされないスピーカ部を所定の非動作状態としている。
【００６９】
（本構成の主な効果）
以上のように、本構成でも、装置状態検出部によって検出された装置本体２の姿勢又は位置の少なくともいずれかが、予め定められた複数の装置状態のいずれに該当するかを判定する装置状態判定部が設けられている。そして、制御部は、読取部による読取対象の読み取りが終了する前又は終了した後の少なくともいずれかの時期において装置状態判定部にて判定された装置状態に対応する動作状態となるように、少なくとも読取部による読取対象の読み取りの際又は読み取り後における報知部の動作を制御する構成となっている。この構成によれば、報知部の動作状態を、装置の具体的態様（姿勢や位置）に合わせた動作状態とすることができ、報知部による報知を一律に行う構成と比べて、報知部をより効果的且つ効率的に動作させ易くなる。
【００７０】
また、本構成では、報知部は、装置本体２の各位置にそれぞれ配置された複数のスピーカ部４４ａ〜４４ｆを備えている。そして、制御部は、複数の装置状態のそれぞれに対応する複数のスピーカ部４４ａ〜４４ｆの動作状態が予め定められ、読取部による読取対象の読み取りが終了する前又は終了した後の少なくともいずれかの時期において装置状態判定部によって判定された装置状態に対応する動作状態となるように、少なくとも読取部による読取対象の読み取りの際又は読み取り後における複数のスピーカ部４４ａ〜４４ｆの動作を制御する。この構成によれば、複数のスピーカ部４４ａ〜４４ｆの動作状態を、装置の状態に応じて変更できるようになり、複数のスピーカ部４４ａ〜４４ｆをより効果的且つ効率的に動作させ易くなる。
【００７１】
また、本構成では、制御部は、複数の装置状態のそれぞれに対応させて複数のスピーカ部４４ａ〜４４ｆの動作箇所を特定する動作パターンがそれぞれ予め定められ、読取部による読取対象の読み取りが終了する前又は終了した後の少なくともいずれかの時期に装置状態判定部によって判定された装置状態に対応する動作パターンにおいて動作箇所とされるスピーカ部を動作させ、当該動作パターンにおいて動作箇所とされないスピーカ部を所定の非動作状態とする。この構成によれば、装置に配置された複数のスピーカ部４４ａ〜４４ｆのうち、いずれを動作させ、いずれを動作させないかを装置の状態に応じて変更することができ、全てのスピーカを一律に動作させる構成と比較すると、各状態のときに重視する箇所に絞った効率的な動作が可能となる。
【００７２】
また、本構成でも、図１、図８等で示すようにケース１０が長手状に構成され、且つ長手方向一方側に読取口１０ｃが形成されており、読取部は、ケース１０に形成された読取口１０ｃを介してケースの外部に配置された情報コードＣを撮像する受光センサ２３（撮像部）と、受光センサ２３（撮像部）によって情報コードＣが撮像された場合に当該情報コードＣの画像を解析して解読する解読部と、を備えている。そして、複数のスピーカ部４４ａ〜４４ｆは、少なくとも、ケースの長手方向一方側に設けられた一方側スピーカ部（スピーカ部４４ａ、４４ｄ）と、ケースの長手方向他方側に設けられた他方側スピーカ部（スピーカ部４４ｃ、４４ｆ）と、を備える。この構成では、ケースの長手方向一方側と他方側にスピーカを配置した上で、各スピーカの動作状態を装置状態に合わせて変更できるようになる。従って、スピーカを長手方向一方側の一カ所のみに配置して一律に音を発生させるような構成と比較すると、装置状態に合わせてスピーカ部を動作させる上での選択可能な動作のバリエーションが増え、自由度がより高まる。
【００７３】
また、本構成では、複数のスピーカ部４４ａ〜４４ｆは、ケース１０の長手方向において一方側スピーカ部と他方側スピーカ部との間に配置される１又は複数の中間スピーカ部（スピーカ部４４ｂ、４４ｅ）を備える。このように、ケースの長手方向の少なくとも３位置に各スピーカを配置すれば、ケースの長手方向一方側、中間位置、他方側のそれぞれで音を発生させることができるようになる。従って、装置状態に合わせてスピーカ部を動作させる上での自由度がより一層高まる。
【００７４】
また、本構成では、複数のスピーカ部４４ａ〜４４ｆは、少なくとも、ケース１０の厚さ方向一方側に設けられた１又は複数の表面側スピーカ部（スピーカ部４４ａ、４４ｂ、４４ｃ）と、ケース１０の厚さ方向他方側に設けられた１又は複数の裏面側スピーカ部（スピーカ部４４ｄ、４４ｅ、４４ｆ）と、を備える。この構成では、ケース１０の厚さ方向一方側と他方側にスピーカを配置した上で、各スピーカの動作状態を装置状態に合わせて変更できるようになる。従って、スピーカを厚さ方向一方側の一カ所のみに配置して一律に音を発生させるような構成と比較すると、装置状態に合わせてスピーカ部を動作させる上での選択可能な動作のバリエーションが増え、自由度がより高まる。
【００７５】
また、本構成では、装置状態検出部は、装置本体２において定められた複数の方向の加速度を検出する加速度検出部（三軸センサ４３）を備える。そして、装置状態判定部は、読取部による読取対象の読み取りが終了する前又は終了した後の少なくともいずれかの時期に加速度検出部で検出された検出結果に基づいて装置本体２の姿勢又は位置の少なくともいずれかが複数の装置状態のいずれに該当するかを判定する。このように複数の方向の加速度を検出可能な加速度検出部を用いれば、装置本体２の姿勢をより迅速に且つより正確に検出し易くなる。
【００７６】
また、本構成では、装置状態判定部に相当する制御回路４０は、読取部による読取対象の読み取りが終了する前の所定の読取前時期に得られる加速度検出部（三軸センサ４３）での検出結果に基づき、読取前時期における装置本体２の鉛直方向の位置変化が予め定められた複数の位置変化状態のいずれに該当するかを少なくとも判定する構成となっている。そして、制御部に相当する制御回路４０は、装置状態判定部での判定結果に基づき、読取前時期における装置本体２の鉛直方向の位置変化に対応する動作状態となるように複数のスピーカ部４４ａ〜４４ｆを制御する。このように、読取前に装置本体２の鉛直方向の位置変化を把握すれば、読み取りの際に装置本体２の鉛直方向の配置状態がどのような状態であるかを推測しやすくなり、読み取りの際には、その配置状態に合わせて複数のスピーカ部４４ａ〜４４ｆを適切に動作させやすくなる。
【００７７】
また、本構成では、装置状態判定部に相当する制御回路４０は、読取部によって読取対象の読み取りが行われている最中又は読取対象の読み取りが終了した際の所定時間に得られる加速度検出部（三軸センサ４３）での検出結果に基づき、所定時間における装置本体２の姿勢が予め定められた複数の姿勢状態のいずれに該当するかを少なくとも判定する。そして、制御部に相当する制御回路４０は、装置状態判定部での判定結果に基づき、所定時間における装置本体２の姿勢に対応する動作状態となるように複数のスピーカ部４４ａ〜４４ｆを制御する。このように、読み取りが行われている最中又は読取対象の読み取りが終了した際の所定時間に得られる加速度検出部（三軸センサ４３）での検出結果に基づいて装置本体２の姿勢を把握すれば、読み取りの際に装置本体２がどのような姿勢であるかをより正確に推測しやすくなる。そして、このように把握される装置本体２の姿勢に対応する動作状態となるように複数のスピーカ部４４ａ〜４４ｆを制御すれば、複数のスピーカ部４４ａ〜４４ｆでは、読み取りの際の姿勢に合った動作がなされやすくなる。
【００７８】
［他の実施形態]
本発明は上記記述及び図面によって説明した実施形態に限定されるものではなく、例えば次のような実施形態も本発明の技術的範囲に含まれる。
【００７９】
上記実施形態では、加速度検出部として、三軸の加速度センサ（三軸センサ４３）を用いたが、端末において複数の移動方向を設定し、各移動方向の移動を検出し得るセンサであればよく、例えば六軸の加速度センサ等のセンサを用いてもよい。
【００８０】
上記実施形態では、携帯型読取装置の一例として携帯型の情報コード読取装置１を例示したが、ＩＣカードやその他の無線タグなどの無線通信媒体を読取可能な携帯型の無線リーダとして構成されていてもよい。或いは、情報コードを読み取る機能と、無線通信媒体を読み取る機能とをいずれも有していてもよい。
【符号の説明】
【００８１】
１…携帯型情報コード読取装置（携帯型読取装置）
２…装置本体
１０…ケース
１０ｃ…読取口
２３…受光センサ（読取部）
３５…メモリ
４０…制御回路（読取部、装置状態検出部、装置状態判定部、制御部、読取結果判定部、モード切替部、解読部）
４２…操作部
４３…三軸センサ（装置状態検出部、加速度検出部）
４４…スピーカ部（報知部、補助報知部）
４４ａ…前側スピーカ部（一方側スピーカ部、表面側スピーカ部）
４４ｂ…中間スピーカ部（表面側スピーカ部）
４４ｃ…後側スピーカ部（他方側スピーカ部、表面側スピーカ部）
４４ｄ…前側スピーカ部（一方側スピーカ部、裏面側スピーカ部）
４４ｅ…中間スピーカ部（裏面側スピーカ部）
４４ｆ…後側スピーカ部（他方側スピーカ部、裏面側スピーカ部）
４５…ＬＥＤ（報知部、点灯部、主報知部）
４６…液晶表示器（報知部、表示装置、主報知部）
４７…バイブレータ（補助報知部）
Ｃ…情報コード
【図１】
0006354488.tif 000002
【図２】
0006354488.tif 000003
【図３】
0006354488.tif 000004
【図４】
0006354488.tif 000005
【図５】
0006354488.tif 000006
【図６】
0006354488.tif 000007
【図７】
0006354488.tif 000008
【図８】
0006354488.tif 000009
【図９】
0006354488.tif 000010
【図１０】
0006354488.tif 000011
【図１１】
0006354488.tif 000012
【図１２】
0006354488.tif 000013